(57)【要約】【課題】炊飯器において、電源リード線から磁束が漏洩し、炊飯器の外部に高周波ノイズが発生するのを抑制する。【解決手段】炊飯器本体２と、炊飯器本体２に収容される鍋５と、炊飯器本体２の内部に配置され、鍋５を加熱する加熱コイル１１と、加熱コイル１１に高周波電流を供給する電源基板１３と、炊飯器本体２の内部に配置され、商用電源に接続される電源コード１４を巻き取って収納するコードリール１５と、一端が電源基板１３に電気的に接続され、他端が電源コード１４に電気的に接続された電源リード線２３と、電源リード線２３の周囲の少なくとも一部に配置されたノイズ除去部材１９と、コードリール１５を炊飯器本体２の内部に保持する保持部材１７とを備える。【選択図】図３Ａ
2018158047.tif 000002
【特許請求の範囲】
【請求項１】
炊飯器本体と、
前記炊飯器本体に収容される鍋と、
前記炊飯器本体の内部に配置され、前記鍋を加熱する加熱コイルと、
前記加熱コイルに高周波電流を供給する電源基板と、
前記炊飯器本体の内部に配置され、商用電源に接続される電源コードを巻き取って収納するコードリールと、
一端が前記電源基板に電気的に接続され、他端が前記電源コードに電気的に接続された電源リード線と、
前記電源リード線の周囲の少なくとも一部に配置されたノイズ除去部材と、
前記コードリールを前記炊飯器本体の内部に保持する保持部材とを備える、
炊飯器。
【請求項２】
前記保持部材は、
基部と、
前記基部と一体に形成され、前記コードリールを前記保持部材に掛止する掛止部と、
前記基部と一体に形成され、前記コードリールの一部に当接して前記コードリールを支持する支持部とを有している、
請求項１に記載の炊飯器。
【請求項３】
前記保持部材は、前記コードリールと前記基部との間に、前記ノイズ除去部材を収容する収容部を有する、
請求項２に記載の炊飯器。
【請求項４】
前記収容部は、前記基部の一部が前記ノイズ除去部材よりも大きい空間を保持するように凹状に形成された部分であり、
前記収容部は、前記コードリールと対向する底部と、前記底部から立設した側部とを有している、
請求項３に記載の炊飯器。
【請求項５】
前記収容部は、前記ノイズ除去部材を冷却する冷却風を取り込む開口部を有し、
前記ノイズ除去部材は、前記収容部の内部の前記開口部の近傍に配置されている、
請求項３または４に記載の炊飯器。
【請求項６】
前記収容部は、前記電源リード線を引っ掛けて前記収容部の内部に保持するための突起部を有し、
前記突起部は、前記側部から前記収容部の内方に突出している、
請求項４または５に記載の炊飯器。
【請求項７】
前記収容部は、前記側部の一部が切り欠かれた切り欠き部を有し、
前記電源リード線は、前記切り欠き部を通して前記収容部の外部と内部とに配置されている、
請求項４〜６のいずれか１項に記載の炊飯器。
【請求項８】
前記切り欠き部は、前記側部の端部から、前記突起部の前記底部に対向する面よりも深く切り欠かれている、
請求項７に記載の炊飯器。
【請求項９】
前記掛止部は、前記コードリールが配置される側から平面視したときに、前記保持部材の長尺方向に平行な中心軸に対して偏心した位置に設けられている、
請求項２〜８のいずれか１項に記載の炊飯器。
【請求項１０】
前記収容部は、前記切り欠き部が設けられている位置と対角の位置に、前記基部から立設した一対のリブを有し、
前記電源リード線は、前記一対のリブの間の溝部に保持されている、
請求項７に記載の炊飯器。
【発明の詳細な説明】
【技術分野】
【０００１】
本発明は、炊飯器に関する。
【背景技術】
【０００２】
従来、加熱コイルに高周波電流を供給することにより鍋を加熱して炊飯する、誘導加熱式の炊飯器が知られている。この方式の炊飯器では、加熱コイルから発生する高周波電磁界により、炊飯器の外部に高周波ノイズが発生する。そこで、近年、当該高周波ノイズの発生を抑制する技術が要求されている（例えば、特許文献１参照）。
【０００３】
特許文献１に記載の炊飯器では、加熱コイルは鍋の底面近傍に配置され、電源リード線は加熱コイルよりも高い位置に保持されている。これにより、加熱コイルと電源リード線との間の距離を大きくとることで、電源リード線が加熱コイルから受ける高周波電磁界を低減し、炊飯器の外部に漏洩する高周波ノイズを低減している。
【先行技術文献】
【特許文献】
【０００４】
【特許文献１】特開２０１５−３９５１６号公報
【発明の概要】
【発明が解決しようとする課題】
【０００５】
しかし、従来の炊飯器では、加熱コイルと電源リード線との間の距離を大きくしたのみであり、電源リード線が加熱コイルから受ける高周波電磁界を低減することができるものの、未だ不十分であり、電源リード線から磁束が漏洩し、炊飯器の外部に高周波ノイズを発生していた。
【０００６】
そこで、本発明は、電源リード線から磁束が漏洩し、炊飯器の外部に高周波ノイズが発生するのをより抑制することができる炊飯器を提供することを目的とする。
【課題を解決するための手段】
【０００７】
本発明の一態様に係る炊飯器は、炊飯器本体と、前記炊飯器本体に収容される鍋と、前記炊飯器本体の内部に配置され、前記鍋を加熱する加熱コイルと、前記加熱コイルに高周波電流を供給する電源基板と、前記炊飯器本体の内部に配置され、商用電源に接続される電源コードを巻き取って収納するコードリールと、一端が前記電源基板に電気的に接続され、他端が前記電源コードに電気的に接続された電源リード線と、前記電源リード線の周囲の少なくとも一部に配置されたノイズ除去部材と、前記コードリールを前記炊飯器本体の内部に保持する保持部材とを備える。
【発明の効果】
【０００８】
本発明に係る炊飯器は、電源リード線から磁束が漏洩し、炊飯器の外部に高周波ノイズが発生するのをより抑制することができる。
【図面の簡単な説明】
【０００９】
【図１】実施の形態１に係る炊飯器の外観斜視図である。
【図２】実施の形態１に係る炊飯器の分解斜視図である。
【図３Ａ】実施の形態１に係る炊飯器の主要な部品の配置を説明するためのイメージ図である。
【図３Ｂ】実施の形態１に係る炊飯器の主要な部品の配置を説明するためのイメージ図である。
【図４】実施の形態１に係る炊飯器のコードリールと保持部材とノイズ除去部材の配置関係を示す概略図である。
【図５Ａ】実施の形態１に係る炊飯器のコードリールの構成を示す斜視図である。
【図５Ｂ】実施の形態１に係る炊飯器のコードリールの構成を示す斜視図である。
【図６Ａ】実施の形態１に係る炊飯器の保持部材の構成を示す斜視図である。
【図６Ｂ】実施の形態１に係る炊飯器の保持部材の構成を示す斜視図である。
【図６Ｃ】実施の形態１に係る炊飯器の保持部材の構成を示す平面図である。
【図７】実施の形態１に係る炊飯器のコードリールを保持部材に組み込んだ概略図である。
【図８Ａ】実施の形態２に係る炊飯器のコードリールの構成を示す斜視図である。
【図８Ｂ】実施の形態２に係る炊飯器のコードリールの構成を示す斜視図である。
【図９Ａ】実施の形態２に係る炊飯器の保持部材の構成を示す斜視図である。
【図９Ｂ】実施の形態２に係る炊飯器の保持部材の構成を示す斜視図である。
【図９Ｃ】実施の形態２に係る炊飯器の保持部材の構成を示す斜視図である。
【図１０】実施の形態２に係る炊飯器のコードリールを保持部材に組み込んだ概略図である。
【発明を実施するための形態】
【００１０】
以下、本発明の実施の形態について、図面を参照しながら説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。また、以下の実施の形態において、「部材Ｍから立設する」とは、部材Ｍに設けられており、かつ、部材Ｍから離れる方向に延びていることをいう。
【００１２】
（実施の形態１）
［炊飯器の構成］
本実施の形態に係る炊飯器１は、加熱コイルに高周波電流を供給することにより鍋を加熱して炊飯を行う、誘導加熱式の炊飯器である。
【００１３】
図１は、本実施の形態に係る炊飯器１の外観斜視図である。図２は、本実施の形態に係る炊飯器１の分解斜視図である。図２において、（ａ）は蒸気放出部４、（ｂ）は外蓋３、（ｃ）は内蓋６、（ｄ）は鍋５、（ｅ）は炊飯器本体２を示している。
【００１４】
炊飯器１は、図１および図２の（ａ）〜（ｅ）に示すように、炊飯器本体２と、外蓋３とを備えている。外蓋３は、炊飯器本体２の上方に、開閉自在に取り付けられている。外蓋３が閉じられた状態では、図１に示すように、炊飯器１は、炊飯器本体２の筐体２ａと外蓋３を外観できる。また、炊飯器本体２には、炊飯器１を持ち運びするための取っ手２ｂが取り付けられている。
【００１５】
炊飯器本体２は、図２の（ｅ）に示すように、筐体２ａと、後述する鍋５を収容する鍋収容部１０を有している。鍋収容部１０は、鍋５の形状に沿った窪んだ形状をしている。鍋収容部１０において、鍋５の底面と接触する収容部底面および鍋５の側面と接触する収容部側面は、例えば耐熱性の高い樹脂材料で形成されている。また、炊飯器本体２の内部には、後述するように、加熱コイル１１、電源基板１３、電源コード１４等、誘導加熱式の炊飯器として必要な電子部品等が配置されている。
【００１６】
外蓋３は、図１および図２の（ｂ）に示すように、炊飯器本体２の上方に配置されている。外蓋３は、炊飯器本体２に設けられた外蓋取り付け部２ｃにより、炊飯器本体２に開閉自在に取り付けられている。また、外蓋３には、図１に示すように、操作部３ａと、開閉ボタン３ｂとが設けられている。操作部３ａは、例えば、炊飯開始、炊飯メニューの選択などの操作および表示を行う部分である。開閉ボタン３ｂは、外蓋３を開くためのボタンである。開閉ボタン３ｂを押すことにより、外蓋３は、外蓋取り付け部２ｃを中心に回転し、炊飯器本体２から開く。なお、外蓋３を閉じるときには、外蓋３を炊飯器本体２の方に押圧することで閉じることができる。
【００１７】
また、外蓋３の一部には、図１および図２の（ａ）に示すように、蒸気放出部４が設けられている。蒸気放出部４には蒸気口４ａが設けられており、炊飯時に蒸気口４ａから水蒸気が放出される。また、蒸気放出部４は、外蓋３から取り外すことが可能である。
【００１８】
さらに、図２の（ｃ）および（ｄ）に示すように、炊飯器１は、炊飯器本体２と外蓋３とで囲まれる炊飯器内部に、鍋５と、内蓋６とを備えている。
【００１９】
鍋５は、米および水を収容し、加熱することにより炊飯を行う容器である。鍋５は、例えば、金属、金属コーティングされたセラミクス等により構成されている。鍋５は、炊飯器本体２に設けられている鍋収容部１０に収容される。
【００２０】
内蓋６は、外蓋３の炊飯器本体２側の面に配置されており、鍋収容部１０に収容された鍋５の上部を覆うことにより鍋５を密閉する。内蓋６には、鍋５の内部の圧力を調整する圧力調整部６ａが設けられている。圧力調整部６ａは、例えば、鍋５の内部の水蒸気量を調整することにより圧力の調整を行う。なお、圧力調整部６ａの圧力調整により発生した不要な水蒸気は、蒸気放出部４の蒸気口４ａから炊飯器１の外部へ放出される。
【００２１】
図３Ａおよび図３Ｂは、炊飯器本体２の内部に設けられた主要な部品の配置を説明するためのイメージ図である。図３Ａおよび図３Ｂに示すように、炊飯器本体２は、加熱コイル１１と、電源基板１３と、電源コード１４と、コードリール１５と、保持部材１７と、ノイズ除去部材１９と、電源リード線２３とを有している。
【００２２】
加熱コイル１１は、鍋５を加熱するための電磁コイルであり、電源基板１３から供給された高周波電流により電磁誘導を生じさせる。これにより、鍋５は加熱コイル１１によって誘導加熱され、鍋５が加熱される。
【００２３】
加熱コイル１１は、鍋５の底面を加熱する底面加熱コイル１１ａと、鍋５の側面を加熱する側面加熱コイル１１ｂとを有している。底面加熱コイル１１ａは、円環状に巻き回されており、鍋収容部１０の収容部底面に配置されている。側面加熱コイル１１ｂは、鍋収容部１０の収容部側面の一部に巻き回されている。例えば、側面加熱コイル１１ｂは、収容部底面に近い位置の収容部側面に巻き回されている。底面加熱コイル１１ａにより鍋５を加熱することで、鍋５の内部では、熱が鍋５の中心から上昇して外側に向かって対流する、内対流が生じる。また、側面加熱コイル１１ｂにより鍋５を加熱することで、鍋５の内部では、熱が鍋５の外側から上昇し中心に向かって対流する、外対流が生じる。底面加熱コイル１１ａと側面加熱コイル１１ｂとを高速で切り替え、内対流と外対流を繰り返すことにより、鍋５の内部の米を振動させるとともに、鍋５の全体に熱を均一に伝導することができる。
【００２４】
電源基板１３は、加熱コイル１１に高周波電流を供給する電源回路基板である。電源基板１３は、電源リード線２３により、商用電源に接続される電源コード１４に電気的に接続されており、商用電源から所定の電力を得て、加熱コイル１１に供給する高周波電流を生成する。また、電源器回路基板は、底面加熱コイル１１ａに電気的に接続された配線１３ａと、側面加熱コイル１１ｂに電気的に接続された配線１３ｂとを有している。電源基板１３は、配線１３ａおよび配線１３ｂを介して、底面加熱コイル１１ａおよび側面加熱コイル１１ｂにそれぞれ高周波電流を供給する。
【００２５】
電源基板１３は、例えばインバータ回路を有する回路基板であり、底面加熱コイル１１ａと側面加熱コイル１１ｂに供給する高周波電流を制御し、底面加熱コイル１１ａと側面加熱コイル１１ｂとを高速で切り替える。なお、電源基板１３は、圧力調整部６ａを制御することにより、鍋５の内部の圧力を制御してもよい。また、加熱温度、加熱時間の制御を行ってもよい。
【００２６】
コードリール１５は、電源コード１４を巻き取って収納する収納具である。コードリール１５は、内部にストッパー（図示せず）とばね（図示せず）とを有している。コードリール１５は、コードリール１５から引き出された電源コード１４を、ストッパーにより所定の長さに保持し、ばねの付勢力によりコードリール１５の内部に引き込み、巻き取って収納する。また、コードリール１５の内部の電源コード１４は、電源リード線２３に接続されており、電源リード線２３を介して電源基板１３に電気的に接続されている。これにより、電源コード１４から電源基板１３には、所定の電力が供給される。コードリール１５の構成については、後に詳述する。
【００２７】
保持部材１７は、コードリール１５を保持し、炊飯器本体２の内部に固定する保持具である。保持部材１７は、例えば、樹脂により射出成形されている。また、保持部材１７は、コードリール１５を保持するだけでなく、コードリール１５と電源基板１３とに電気的に接続された電源リード線２３の一部を保持している。さらに、保持部材１７は、コードリール１５との間に、ノイズ除去部材１９を収容している。保持部材１７の構成については、後に詳述する。
【００２８】
ノイズ除去部材１９は、加熱コイル１１から発生する高周波電磁界が電源リード線２３に誘起されるのを抑制するための部材である。ノイズ除去部材１９は、例えばフェライトコアである。ノイズ除去部材１９は、例えば円柱状の形状であって、円柱の長尺方向の両端の端面を貫通する孔１９ａを有している。ノイズ除去部材１９の孔１９ａの内部には、電源リード線２３が貫通され、電源リード線２３は、ノイズ除去部材１９に一巻き以上巻き回されている。これにより、ノイズ除去部材１９は、加熱コイル１１から発生する高周波電磁界が電源リード線２３に誘起されるのを抑制している。なお、ノイズ除去部材１９は、電源リード線２３が貫通されていなくても、電源リード線２３の周囲の少なくとも一部に配置されていればよい。また、電源リード線２３は、ノイズ除去部材１９の孔１９ａを貫通しているだけでもよいし、ノイズ除去部材１９に二巻き以上巻き回されている構成であってもよい。
【００２９】
図４は、炊飯器１のコードリール１５と保持部材１７とノイズ除去部材１９の配置関係を示す概略図である。
【００３０】
コードリール１５と保持部材１７は、炊飯器本体２に配置される場合、コードリール１５が保持部材１７に保持され、保持部材１７が炊飯器本体２にネジ止めされる。したがって、図４に示すように、コードリール１５の上方つまり外蓋３に近い側に、保持部材１７が配置されている。また、電源コード１４は、図３Ａに示したように、炊飯器本体２の底面に近い位置に配置されている。電源コード１４は、差し込みプラグのみが筐体２ａから炊飯器本体２の外部に引き出されるように配置されている。
【００３１】
ここで、ノイズ除去部材１９は、保持部材１７とコードリール１５との間に収容されている。より具体的には、ノイズ除去部材１９は、保持部材１７に形成された収容部３５の内部に収容されている。収容部３５は、後述するように、コードリール１５と対向する底部３５ａと、底部３５ａから立設した側部３５ｂとを有しており、基部３０の一部がノイズ除去部材１９よりも大きい空間を保持するように凹状の箱形状に形成された部分である。また、収容部３５には、ノイズ除去部材１９に巻き回された電源リード線２３の一部も収容されている。
【００３２】
これにより、炊飯器本体２の内部に他の部品が配置されていても、ノイズ除去部材１９が他の部品に接触することはないので、ノイズ除去部材１９が他の部品に接触して破損するのを抑制することができる。
【００３３】
［コードリールの構成］
ここで、コードリール１５の構成について説明する。図５Ａおよび図５Ｂは、コードリール１５の構成を示す斜視図である。
【００３４】
図５Ａおよび図５Ｂに示すように、コードリール１５は、電源コード１４と、ケース２５とを備えている。電源コード１４は、ケース２５内に巻き取られて収納されている。ケース２５は、例えば、図５Ａおよび図５Ｂに示すように、略円盤状の形状を有している。当該円盤状のケース２５の厚さ、つまり、ケース２５のＸ方向の大きさは、例えば１．５ｃｍ程度であり、電源コード１４の直径よりも大きい。また、ケース２５のＹ方向またはＺ方向の直径は、例えば９ｃｍ程度であり、１ｍ程度の長さの電源コード１４を巻き回して収納することができる程度の大きさである。
【００３５】
ケース２５は、一部に、電源コード１４が出し入れされ、差し込みプラグのみがケース２５の外に配置される開口２５ａを有している。ケース２５は、差し込みプラグが＋Ｙ方向に向かうように、開口２５ａが、炊飯器本体２の底側になるように配置される。
【００３６】
また、図５Ａに示すように、ケース２５の一方の面には、端子２２が配置されている。端子２２は、ケース２５の内部において、電源コード１４と電気的に接続されている。また、端子２２には、ケース２５の外部から、電源リード線２３が電気的に接続される。電源リード線２３は、端子２２にはんだ等により接合される。これにより、電源リード線２３を介して、電源基板１３と電源コード１４とが電気的に接続される。なお、本実施の形態においては、電源リード線２３が端子２２にはんだ等により接合された形態について説明するが、電源リード線２３は端子２２と電気的に接続されていればよく、例えば、電源リード線２３の端部に端子を接続するとともに、この電源リード線２３の端子と端子２２とが接続されることで、電源リード線２３と端子２２とが接続されるように構成されていてもよい。
【００３７】
また、ケース２５は、取り付け部２７、２８ａおよび２８ｂとを有している。取り付け部２７、２８ａおよび２８ｂは、ケース２５からＹ方向およびＺ方向に延設され、端部が＋Ｘ方向および−Ｘ方向に突出したリブである。
【００３８】
取り付け部２８ａは、後述する保持部材１７の第１の支持部３２の第１の溝部３２ａに差し込まれる。取り付け部２８ｂは、後述する保持部材１７の第２の支持部３３の第２の溝部３３ａに差し込まれる。このとき、取り付け部２７は、第１の支持部３２の掛止部４０に引っ掛かることで保持されている。
【００３９】
［保持部材の構成］
次に、図６Ａ〜図６Ｃは、保持部材１７の構成を示す平面図である。
【００４０】
図６Ａ〜図６Ｃに示すように、保持部材１７は、基部３０と、第１の支持部３２と、第２の支持部３３と、第１のリブ３４と、収容部３５と、開口部３６と、切り欠き部３７と、突起部３８と、掛止部４０と、ネジ穴４２とを有している。
【００４１】
基部３０は、保持部材１７において、第１の支持部３２、第２の支持部３３、第１のリブ３４、収容部３５、開口部３６、切り欠き部３７、突起部３８、掛止部４０を一体に接続している基台である。基部３０において、Ｙ方向の両端近傍にはネジ穴４２が形成されている。ネジ穴４２は、保持部材１７の基部３０を炊飯器本体２に固定するためのネジを通す穴である。つまり、ネジ穴４２を介してネジにより基部３０が炊飯器本体２に固定されることにより、保持部材１７が炊飯器本体２に取り付けられる。
【００４２】
第１の支持部３２および第２の支持部３３は、コードリール１５のケース２５の一部に当接して、コードリール１５を支持する。より具体的には、第１の支持部３２および第２の支持部３３のそれぞれは、基部３０からＺ方向に立設している。第１の支持部３２および第２の支持部３３は、Ｙ方向に離間して配置されている。第１の支持部３２および第２の支持部３３の基部３０と反対側の端部は、ケース２５に当接する。ケース２５に当接する第１の支持部３２および第２の支持部３３の端部は、ケース２５の円盤状の弧に沿うように、円弧状に形成されている。図６Ｃに示すＺ方向から平面視したときに、第１の支持部３２および第２の支持部３３の間には、収容部３５が設けられている。
【００４３】
また、第１の支持部３２および第２の支持部３３の収容部３５側の面には、それぞれ、第１の溝部３２ａおよび第２の溝部３３ａが形成されている。第１の溝部３２ａには、ケース２５の取り付け部２８ａが差し込まれる。また、第２の溝部３３ａには、ケース２５の取り付け部２８ｂが差し込まれる。第１の溝部３２ａおよび第２の溝部３３ａの溝幅は、それぞれ、ケース２５の取り付け部２８ａおよび２８ｂを差し込むことができるように、取り付け部２８ａおよび２８ｂよりも大きい幅で形成されている。
【００４４】
また、第１の支持部３２の第１の溝部３２ａの両側には、掛止部４０が形成されている。掛止部４０は、コードリール１５を保持部材１７に掛止する突起である。具体的には、掛止部４０は、第１の支持部３２の端部側から基部３０側に向かって、第１の支持部から徐々に突出するように形成されている。これにより、第１の溝部３２ａに取り付け部２８ａが差し込まれたときに、取り付け部２７が掛止部４０に引っ掛かり、掛止する。
【００４５】
収容部３５は、基部３０の一部がノイズ除去部材１９よりも大きい空間を保持するように凹状の箱形状に形成された部分である。収容部３５は、コードリール１５の円盤状のケース２５の縁故の一部と対向する底部３５ａと、底部３５ａから立設した側部３５ｂとを有している。収容部３５の大きさは、電源リード線２３が巻き回されたノイズ除去部材１９が収容できる大きさであれば、適宜変更してもよい。
【００４６】
また、収容部３５の底部の一部には、開口部３６が形成されている。開口部３６は、ノイズ除去部材１９を冷却する冷却風を取り込むための開口である。ノイズ除去部材１９は、収容部３５の内部において、開口部３６の近傍に配置される。これにより、開口部３６から取り込まれた冷却風はノイズ除去部材１９に当たり易くなるため、ノイズ除去部材１９を効率よく冷却することができる。
【００４７】
また、開口部３６の大きさは、ノイズ除去部材１９の大きさよりも小さい大きさで形成されている。つまり、収容部３５に収容されたノイズ除去部材１９が、開口部３６から収容部３５の外に排出されない大きさに形成されている。これにより、開口部３６の近傍にノイズ除去部材１９を配置しても、ノイズ除去部材１９は開口部３６から収容部３５の外部に排出されず、収容部３５内に安定して収容することができる。
【００４８】
また、収容部３５を構成する側部３５ｂの一部には、切り欠き部３７が形成されている。切り欠き部３７は、図６Ａおよび図６Ｂに示すように、側部の一部が所定の幅および深さで切り欠かれた部分である。切り欠き部３７は、収容部３５の外部から内部に電源リード線２３を導入する、または、収容部３５の内部から外部に電源リード線２３を導出する部分である。つまり、電源リード線２３は、切り欠き部３７を通して収容部３５の外部と内部とに配置される。切り欠き部３７を設けることにより、電源リード線を収容部の外部から内部に導入、または、収容部の内部から外部に導出する空間を十分に確保することができるので、切り欠き部３７を設けない場合に比べて、電源リード線２３が側部３５ｂ等との接触により切断されるのを抑制することができる。
【００４９】
切り欠き部３７の幅は、例えば８ｍｍ程度、切り欠き部３７の深さは、５ｍｍ程度である。なお、切り欠き部３７の幅および深さは、電源リード線２３が側部３５ｂ等と接触しない大きさであれば、変更してもよい。
【００５０】
また、切り欠き部３７が形成された側部３５ｂと対向する側部３５ｂの内側には、突起部３８が形成されている。突起部３８は、電源リード線２３を引っ掛けて収容部３５の内部に保持するための突起である。突起部３８は、側部３５ｂから収容部３５の内方に突出している。突起部３８の先端と切り欠き部３７が形成された側部３５ｂとの間には、電源リード線２３を収容部３５の外から内に収容できるように、電源リード線２３の直径程度の隙間が設けられている。また、突起部３８は、保持部材１７を図６Ａ〜図６Ｃに示したＺ方向から平面視したときに、開口部３６と重複する位置に設けられている。
【００５１】
突起部３８を設けることにより、収容部３５に収納された電源リード線２３は、収容部３５の外部に排出されにくくなる。したがって、電源リード線２３が巻き回されたノイズ除去部材１９も収容部３５の外部に排出されにくくなり、収容部３５の内部に安定して収容することができる。
【００５２】
また、突起部３８が形成された側部３５ｂ側の、第２の支持部３３と収容部３５との間には、第１のリブ３４が形成されている。第１のリブ３４は、基部３０から立設している。第１のリブ３４は、突起部３８が形成された側部３５ｂ側において、コードリール１５に他の部品が当接しないようにコードリール１５と他の部品との間に空間を保持するために設けられている。例えば、第１のリブ３４が設けられた側に、コードリール１５の端子２２が設けられた面が配置されるように、保持部材１７にコードリール１５が保持される。また、第１のリブ３４が設けられた側には、炊飯器本体２の筐体２ａが配置されることとしてもよい。
【００５３】
ここで、図６Ｃに示すように、掛止部４０は、コードリール１５が配置される側、つまり、図６Ｃに示すＺ方向から平面視したときに、保持部材１７の長尺方向に平行な中心軸に対して偏心した位置に設けられている。つまり、図６ＣにＡ−Ａ線で示す保持部材１７の中心軸に対し、第１の支持部３２の第１の溝部３２ａの中心と第２の支持部３３の第２の溝部３３ａの中心とを結ぶＢ−Ｂ線は、切り欠き部３７が形成された側部３５ｂ側に偏心した位置に配置されている。したがって、第１の溝部３２ａの両側に設けられた掛止部４０は、保持部材１７の中心軸に対して偏心した位置に設けられている。
【００５４】
これにより、コードリール１５は、保持部材１７の長尺方向の中心軸に対して、切り欠き部３７が形成された側部３５ｂ側に配置されることになるので、第１のリブ３４が設けられた側の側部３５ｂ側には、コードリール１５を取り付けたときに空間を広く保持することができる。第１のリブ３４が設けられた側には、コードリール１５の端子２２が設けられた面が配置されるように保持部材１７にコードリール１５が保持されるので、電源リード線２３が電気的に接続される端子２２が設けられた面側の空間を広くすることにより、電源リード線２３が他の部品等に接触して断線するのを抑制することができる。
【００５５】
図７は、コードリール１５を保持部材１７に組み込んだ概略図である。
【００５６】
上述したように、取り付け部２８ａは、後述する保持部材１７の第１の支持部３２の第１の溝部３２ａに差し込まれる。取り付け部２８ｂは、後述する保持部材１７の第２の支持部３３の第２の溝部３３ａに差し込まれる。このとき、取り付け部２７は第１の支持部３２の掛止部４０に引っ掛かり、同時に、第１の支持部３２および第２の支持部３３はケース２５に当接して、コードリール１５を支持する。より具体的には、第１の支持部３２および第２の支持部３３は、ケース２５に当接して、コードリール１５が取り付け部２７を軸として回転するのを抑止する。これにより、コードリール１５は保持部材１７に安定して保持される。
【００５７】
また、ノイズ除去部材１９は、図７に示すように、収容部３５に収容されている。ノイズ除去部材１９は、上述したように、収容部３５の内部の開口部３６の近傍に収容されている。ノイズ除去部材１９の孔１９ａの内部には、電源リード線２３が貫通され、電源リード線２３は、ノイズ除去部材１９に一巻きされている。
【００５８】
また、電源リード線２３は、コードリール１５の端子２２に電気的に接続されており、端子２２からコードリール１５の面に沿って引き回され、収容部３５の内部に導入されている。収容部３５に導入された電源リード線２３は、突起部３８と収容部３５の底部３５ａとの間を通って、ノイズ除去部材１９の孔１９ａを貫通している。このとき、電源リード線２３は、突起部３８に引っ掛かっているため、収容部３５の外部に電源リード線２３が排出されるのが抑制されている。また、電源リード線２３が一巻きされているノイズ除去部材１９も、収容部３５の外部に排出されるのが抑制されている。さらに、端子２２からコードリール１５の面に沿って引き回された電源リード線２３が自由に移動するのを抑制することもできる。
【００５９】
また、ノイズ除去部材１９に一巻きされた電源リード線２３は、ノイズ除去部材１９の孔１９ａを貫通し切り欠き部３７を通って収容部３５の外部に導出されている。切り欠き部３７が設けられていることにより、電源リード線２３が収容部３５の側部３５ｂ等に接触するのを防止することができるので、電源リード線２３が切断されるのを抑制することができる。
【００６０】
収容部３５の外部に導出された電源リード線２３は、電源基板１３に電気的に接続されている。
【００６１】
［効果等］
以上のように、本実施の形態に係る炊飯器は、炊飯器本体と、前記炊飯器本体に収容される鍋と、前記炊飯器本体の内部に配置され、前記鍋を加熱する加熱コイルと、前記加熱コイルに高周波電流を供給する電源基板と、前記炊飯器本体の内部に配置され、商用電源に接続される電源コードを巻き取って収納するコードリールと、一端が前記電源基板に電気的に接続され、他端が前記電源コードに電気的に接続された電源リード線と、前記電源リード線の周囲の少なくとも一部に配置されたノイズ除去部材と、前記コードリールを前記炊飯器本体の内部に保持する保持部材とを備える。
【００６２】
これにより、電源リード線に近接してノイズ除去部材を設けるので、電源リード線から磁束が漏洩するのを従来よりも抑制することができる。したがって、炊飯器の外部に高周波ノイズが発生するのを抑制することができる。
【００６３】
また、前記保持部材は、基部と、前記基部と一体に形成され、前記コードリールを前記保持部材に掛止する掛止部と、前記基部と一体に形成され、前記コードリールの一部に当接して前記コードリールを支持する支持部とを有していてもよい。
【００６４】
これにより、コードリールは保持部材に安定して保持されるので、保持部材を炊飯器本体に固定することにより、コードリールを炊飯器本体に安定して保持することができる。
【００６５】
また、前記保持部材は、前記コードリールと前記基部との間に、前記ノイズ除去部材を収容する収容部を有してもよい。
【００６６】
これにより、ノイズ除去部材は、保持部材の収容部に保持されるので、炊飯器本体の内部に他の部品が配置されていてもノイズ除去部材が他の部品に接触することはない。したがって、ノイズ除去部材が他の部品に接触して破損するのを抑制することができる。
【００６７】
また、前記収容部は、前記基部の一部が前記ノイズ除去部材よりも大きい空間を保持するように凹状に形成された部分であり、前記収容部は、前記コードリールと対向する底部と、前記底部から立設した側部とを有していてもよい。
【００６８】
これにより、ノイズ除去部材は、保持部材に形成された底部および側部とコードリールとで囲まれた領域に全体が収容されるので、炊飯器本体の内部に他の部品が配置されていてもノイズ除去部材が他の部品に接触することはない。したがって、ノイズ除去部材が他の部品に接触して破損するのを抑制することができる。
【００６９】
また、前記収容部は、前記ノイズ除去部材を冷却する冷却風を取り込む開口部を有し、前記ノイズ除去部材は、前記収容部の内部の前記開口部の近傍に配置されていてもよい。
【００７０】
これにより、ノイズ除去部材の周囲が、底部および側部とコードリールとで囲まれていても、開口部を介してノイズ除去部材に冷却風を当てることができる。また、開口部と開口部以外の隙間とを介して、収容部に冷却風を通過させることができる。したがって、ノイズ除去部材を効率よく冷却することができる。
【００７１】
また、前記収容部は、前記電源リード線を引っ掛けて前記収容部の内部に保持するための突起部を有し、前記突起部は、前記側部から前記収容部の内方に突出していてもよい。
【００７２】
これにより、収容部に収容された電源リード線は、収容部の外部に排出されにくくなる。したがって、電源リード線が巻き回されたノイズ除去部材も収容部の外部に排出されにくくなり、ノイズ除去部材を収容部の内部に安定して収容することができる。
【００７３】
また、前記収容部は、前記側部の一部が切り欠かれた切り欠き部を有し、前記電源リード線は、前記切り欠き部を通して前記収容部の外部と内部とに配置されていてもよい。
【００７４】
これにより、電源リード線を収容部の外部から内部に導入、または、収容部の内部から外部に導出する空間を十分に確保することができるので、切り欠き部を設けない場合に比べて、電源リード線が側部等と接触することにより切断されるのを抑制することができる。
【００７５】
また、前記掛止部は、前記コードリールが配置される側から平面視したときに、前記保持部材の長尺方向に平行な中心軸に対して偏心した位置に設けられていてもよい。
【００７６】
これにより、コードリールの取り付け部が偏心していることにより、保持部材に保持されたコードリールの一方側は他方側よりも空間が大きくなる。この空間に電源リード線が配置されるので、電源リード線が他の部品に接触する可能性は低くなる。したがって、電源リード線が断線するのを抑制することができる。
【００７７】
なお、上述した実施の形態では、炊飯器本体２は、加熱コイル１１と、電源基板１３と、電源コード１４と、コードリール１５と、保持部材１７と、ノイズ除去部材１９と、電源リード線２３とを備える構成としたが、これに限られない。炊飯器本体２は、さらに、加熱コイル１１および電源基板１３を冷却するための冷却ファン、操作部を走査するための回路基板、インバータ回路、圧力センサ、温度センサ、タイマ、記憶部等を備えてもよい。
【００７８】
また、保持部材１７の構成は、上述した構成に限らず、他の構成であってもよい。例えば、上述した第１の支持部３２、第２の支持部３３、第１の溝部３２ａ、第２の溝部３３ａ、収容部３５、開口部３６、突起部３８等の形状および大きさは、上述したものに限らず、変更してもよい。
【００７９】
また、コードリール１５の構成、形状および大きさは、上述したものに限らず、変更してもよい。
【００８０】
（実施の形態２）
次に、実施の形態２に係る炊飯器１について説明する。本実施の形態に係る炊飯器１は、実施の形態１に係る炊飯器１と比較して、コードリール１１５および保持部材１１７の構成が異なっている。
【００８１】
以下、コードリール１１５および保持部材１１７の構成について説明する。なお、実施の形態１に係る炊飯器１と同一の構成については、詳細な説明を省略する。
【００８２】
［コードリールの構成］
図８Ａおよび図８Ｂは、コードリール１１５の構成を示す斜視図である。
【００８３】
コードリール１１５は、電源コード１４と、ケース１２５とを備えている。電源コード１４は、ケース１２５内に巻き取られて収納されている。ケース１２５は、例えば、図８Ａおよび図８Ｂに示すように、略円盤状の形状を有している。ケース１２５のＸ方向の大きさは、例えば１．５ｃｍ程度であり、電源コード１４の直径よりも大きい。また、ケース２５のＹ方向またはＺ方向の直径は、例えば９．５ｃｍ程度であり、１ｍ程度の長さの電源コード１４を巻き回して収納することができる程度の大きさである。
【００８４】
ケース１２５は、電源コード１４が出し入れされ、差し込みプラグのみがケース１２５の外に配置される開口１２５ａを有している。ケース１２５は、差し込みプラグが＋Ｙ方向に向かうように、開口１２５ａが、炊飯器本体２の底側になるように配置される。
【００８５】
また、図８Ａに示すように、ケース１２５の一方の面には、当該面に垂直な方向に端子１２２が配置されている。端子１２２は、ケース１２５の一方の面から突出するように、配置されている。端子１２２は、ケース１２５の内部において、電源コード１４と電気的に接続されている。
【００８６】
端子１２２には、実施の形態１に示したコードリール１５の端子２２と同様、電源リード線２３が電気的に接続される。電源リード線２３は、端子１２２にはんだ等により接合される。
【００８７】
なお、後述するように、端子１２２が突出したケース１２５の一方の面には、電源リード線２３が接合された端子１２２を覆うように、カバー１６０（図１０参照）が設けられていてもよい。カバー１６０を設けることにより、電源リード線２３と端子１２２との接合部分を保護し、電源リード線２３が端子１２２から外れるのを抑制することができる。
【００８８】
また、ケース１２５は、取り付け部１２７を有している。取り付け部１２７は、ケース１２５の中心に対して開口１２５ａと反対側に設けられた孔である。取り付け部１２７は、後述する保持部材１１７の掛止部１４０ａに引っ掛かって掛止される。
【００８９】
［保持部材の構成］
図９Ａ〜図９Ｃは、保持部材１１７の構成を示す斜視図である。
【００９０】
図９Ａ〜図９Ｃに示すように、保持部材１１７は、基部１３０と、第１の支持部１３２と、第２の支持部１３３と、第１のリブ１３４と、収容部１３５と、開口部１３６と、切り欠き部１３７と、突起部１３８と、第３の支持部１４０と、掛止部１４０ａと、ネジ穴１４２と、第２のリブ１５１および第３のリブ１５２を有している。
【００９１】
基部１３０は、保持部材１１７において、第１の支持部１３２、第２の支持部１３３、第１のリブ１３４、収容部１３５、開口部１３６、切り欠き部１３７、突起部１３８、第３の支持部１４０、掛止部１４０ａ、第２のリブ１５１および第３のリブ１５２を一体に接続している基台である。基部１３０において、Ｙ方向の両端近傍にはネジ穴１４２が形成されている。ネジ穴１４２は、保持部材１１７の基部１３０を炊飯器本体２に固定するためのネジを通す穴である。ネジ穴４２を介してネジにより基部１３０が炊飯器本体２に固定されることにより、保持部材１１７が炊飯器本体２に取り付けられる。
【００９２】
第１の支持部１３２および第２の支持部１３３は、コードリール１１５のケース１２５の一部に当接して、コードリール１１５を支持する。より具体的には、第１の支持部１３２および第２の支持部１３３のそれぞれは、基部１３０からＺ方向に立設している。第１の支持部１３２および第２の支持部１３３は、Ｙ方向に離間して配置されている。第１の支持部１３２および第２の支持部１３３の基部１３０と反対側の端部は、ケース１２５に当接する。ケース１２５に当接する第１の支持部１３２および第２の支持部１３３の端部は、ケース１２５の円盤状の弧に沿うように、円弧状に形成されている。第１の支持部１３２および第２の支持部１３３の間には、収容部１３５が設けられている。
【００９３】
また、第１の支持部１３２の近傍の第３のリブ１５２側のリブには、端部が円弧状に形成された第１の支持部１３２の面に対向する位置に、第３の支持部１４０が形成されている。第３の支持部１４０には、掛止部１４０ａが設けられている。掛止部１４０ａは、コードリール１１５を保持部材１１７に掛止する突起である。具体的には、掛止部１４０ａは、第３の支持部１４０の第１の支持部１３２に対向する面から、第１の支持部１３２に向かって突出するように形成されている。これにより、第３の支持部１４０と第１の支持部１３２との間に取り付け部１２７が差し込まれたときに、取り付け部１２７が掛止部１４０ａに引っ掛かり、掛止する。
【００９４】
収容部１３５は、基部１３０の一部が、ノイズ除去部材１９よりも大きい空間を保持するように形成された部分である。収容部１３５は、コードリール１１５と対向する底部１３５ａと、底部１３５ａから立設した側部１３５ｂとを有している。収容部１３５の大きさおよび形状は、電源リード線２３が巻き回されたノイズ除去部材１９が収容できる大きさであれば、適宜変更してもよい。
【００９５】
また、収容部１３５の底部１３５ａの一部には、開口部１３６が形成されている。ノイズ除去部材１９は、収容部１３５の内部において、開口部１３６の近傍に配置されている。
【００９６】
開口部１３６は、収容部１３５に収容されたノイズ除去部材１９が、開口部１３６から収容部１３５の外に排出されないように、ノイズ除去部材１９の大きさよりも小さい大きさで形成されている。
【００９７】
なお、開口部１３６は１つに限らず複数形成されていてもよい。例えば、図９Ｃに示すように、保持部材１１７には、収容部１３５の底部１３５ａにおいて、開口部１３６以外の位置に開口部１５５が形成されている。開口部１５５を設けることにより、ノイズ除去部材１９を冷却するための冷却風をノイズ除去部材１９により効率よく与えることができる。
【００９８】
また、収容部１３５を構成する側部１３５ｂの一部には、切り欠き部１３７が形成されている。切り欠き部１３７は、図９Ａおよび図９Ｂに示すように、側部の一部が所定の幅および深さで切り欠かれた部分である。電源リード線２３は、切り欠き部１３７を通して収容部１３５の外部と内部とに配置される。
【００９９】
切り欠き部１３７の幅は、例えば１０ｍｍ程度、切り欠き部１３７の深さは、１０ｍｍ程度である。なお、切り欠き部１３７の幅および深さは、電源リード線２３が側部１３５ｂ等と接触しない大きさであれば、変更してもよい。
【０１００】
また、切り欠き部１３７が形成された側部１３５ｂと対向する側部１３５ｂの内側には、突起部１３８が形成されている。突起部１３８は、側部１３５ｂから収容部１３５の内方に突出している。突起部１３８の先端と切り欠き部１３７が形成された側部１３５ｂとの間には、電源リード線２３を収容部１３５の外から内に収容できるように、電源リード線２３の直径程度の隙間が設けられている。また、突起部１３８は、保持部材１１７を図９Ａ〜図９Ｃに示したＺ方向から平面視したときに、開口部１３６と重複する位置に設けられている。
【０１０１】
また、突起部１３８は、側部１３５ｂの端部の近傍の深さに設けられている。例えば、突起部１３８は、底部１３５ａと対向する面が、側部１３５ｂの端部から６ｍｍとなる位置に設けられている。つまり、切り欠き部１３７は、側部１３５ｂの端部から、突起部１３８の底部１３５ａに対向する面よりも深く切り欠かれていることになる。これにより、切り欠き部１３７を通って収容部１３５に導入された電源リード線２３は、電源リード線２３を過度に湾曲させることなく、突起部１３８と底部１３５ａとの間に容易に導入される。したがって、電源リード線２３に過度な曲げ応力をかけることがないので、電源リード線２３が切断するのを抑制することができる。
【０１０２】
また、突起部１３８が形成された側部１３５ｂ側の、第２の支持部１３３と収容部１３５との間には、第１のリブ１３４が形成されている。第１のリブ１３４は、基部１３０から立設している。また、第１のリブ１３４が設けられた側に、コードリール１１５の端子１２２が設けられた面が配置されるように、保持部材１１７にコードリール１１５が保持される。
【０１０３】
なお、図示を省略するが、掛止部１４０ａは、実施の形態１に示した掛止部４０と同様、コードリール１１５が配置される側（図９Ａに示すＺ方向）から平面視したときに、保持部材１１７の長尺方向に平行な中心軸に対して偏心した位置に設けられている。
【０１０４】
これにより、コードリール１１５は、保持部材１１７の長尺方向の中心軸に対して、切り欠き部１３７が形成された側部１３５ｂ側に配置されることになるので、第１のリブ１３４が設けられた側の側部１３５ｂ側には、コードリール１１５を取り付けたときに空間を広く保持することができる。第１のリブ１３４が設けられた側には、コードリール１１５の端子１２２が設けられた面が配置されるように保持部材１１７にコードリール１１５が保持されるので、電源リード線２３が電気的に接続される端子１２２が設けられた面側の空間を広くすることにより、電源リード線２３が他の部品等に接触して断線するのを抑制することができる。
【０１０５】
また、第２のリブ１５１および第３のリブ１５２は、一対のリブである。第２のリブ１５１および第３のリブ１５２との間の隙間は、第３の溝部１５３である。電源リード線２３は、第３の溝部１５３に保持される。
【０１０６】
図１０は、コードリール１１５を保持部材１１７に組み込んだ概略図である。
【０１０７】
上述したように、取り付け部２７が設けられた、コードリール１１５の一部は、第３の支持部１４０と第１の支持部１３２との間に差し込まれる。このとき、取り付け部１２７は第３の支持部１４０の掛止部１４０ａに引っ掛かり、同時に、第１の支持部１３２および第２の支持部１３３はケース１２５に当接して、コードリール１１５を支持する。より具体的には、第１の支持部１３２および第２の支持部１３３は、ケース１２５に当接して、コードリール１１５が取り付け部１２７を軸として回転するのを抑止する。これにより、コードリール１１５は保持部材１１７に安定して保持される。
【０１０８】
また、ノイズ除去部材１９は、図１０に示すように、収容部１３５に収容されている。ノイズ除去部材１９は、上述したように、収容部１３５の内部の開口部１３６の近傍に収容されている。ノイズ除去部材１９の孔１９ａの内部には、電源リード線２３が貫通され、電源リード線２３は、ノイズ除去部材１９に一巻きされている。
【０１０９】
また、電源リード線２３は、コードリール１１５の端子１２２（図８Ａ参照）に電気的に接続されている。図１０に示すように、端子１２２が突出したコードリール１１５のケース１２５の一方の面には、電源リード線２３が接合された端子１２２を覆うカバー１６０が設けられており、端子１２２近傍の電源リード線２３は、カバー１６０で覆われている。
【０１１０】
さらに、コードリール１１５には、カバー１６０から外部に導出された電源リード線２３をケース１２５に固定する固定部１６１が設けられている。固定部１６１により、電源リード線２３が端子１２２から外れるのを抑制することができる。端子１２２に電気的に接続された電源リード線２３は、固定部１６１により固定され、コードリール１１５の面に沿って引き回されて収容部１３５の内部に導入されている。このとき、電源リード線２３は、第２のリブ１５１および第３のリブ１５２の間の第３の溝部１５３に保持されている。これにより、電源リード線２３の動きを規制することができるので、電源リード線２３が他の部品等と接触して断線するのを抑制することができる。また、電源リード線２３が端子１２２から外れるのを抑制することができる。
【０１１１】
収容部１３５に導入された電源リード線２３は、突起部１３８と収容部１３５の底部１３５ａとの間を通って、ノイズ除去部材１９の孔１９ａを貫通している。このとき、電源リード線２３は、突起部１３８に引っ掛かっているため、収容部１３５の外部に電源リード線２３が排出されるのが抑制されている。また、電源リード線２３が一巻きされているノイズ除去部材１９も、収容部１３５の外部に排出されるのが抑制されている。さらに、端子１２２からコードリール１５の面に沿って引き回された電源リード線２３が自由に移動するのを抑制することができる。
【０１１２】
また、ノイズ除去部材１９に一巻きされた電源リード線２３は、ノイズ除去部材１９の孔１９ａを貫通し切り欠き部１３７を通って収容部１３５の外部に導出されている。切り欠き部１３７が設けられていることにより、電源リード線２３が収容部３５の側部３５ｂ等に接触するのを防止することができるので、電源リード線２３が切断されるのを抑制することができる。
【０１１３】
収容部１３５の外部に導出された電源リード線２３は、電源基板１３に電気的に接続されている。
【０１１４】
［効果等］
以上のように、本実施の形態に係る炊飯器は、電源リード線の周囲の少なくとも一部にノイズ除去部材を設けることにより、電源リード線から磁束が漏洩し、炊飯器の外部に高周波ノイズが発生するのを抑制することができる。
【０１１５】
また、前記切り欠き部は、前記側部の端部から、前記突起部の前記底部に対向する面よりも深く切り欠かれていてもよい。
【０１１６】
これにより、切り欠き部を通って収容部に導入された電源リード線は、過度に湾曲させることなく突起部と底部との間に容易に導入される。したがって、電源リード線に過度な曲げ応力をかけることがないので、電源リード線が切断するのを抑制することができる。
【０１１７】
また、前記収容部は、前記切り欠き部が設けられている位置と対角の位置に、前記基部から立設した一対のリブを有し、前記電源リード線は、前記一対のリブの間の溝部に保持されていてもよい。
【０１１８】
これにより、炊飯器本体の内部に他の部品が配置されていても、保持部材の一対のリブの間に電源リード線が保持されるので、電源リード線２３の動きを規制することができる。したがって、電源リード線が他の部品に接触して断線するのを抑制することができる。
【０１１９】
（その他の実施の形態等）
以上、本発明の実施の形態に係る炊飯器について説明したが、本発明は、上述した実施の形態に限定されるものではない。
【０１２０】
例えば、上述した実施の形態では、炊飯器本体には加熱コイルとして底面加熱コイルと側面加熱コイルの２つを備える構成としたが、加熱コイルは１つであってもよいし、３つ以上であってもよい。また、加熱コイルを配置する位置は、鍋の底面側であってもよいし、側面側のいずれの位置であってもよい。
【０１２１】
また、上述した実施の形態では、保持部材に形成された収容部は、凹状の箱形状としたが、収容部は、これに限らず、ノイズ除去部材を収容することができる空間を有する形状および大きさに形成されていればよい。
【０１２２】
また、保持部材に形成された切り欠き部、突起部、開口部、第１のリブ、第２のリブ、第３のリブの形状、大きさ、位置は、上述したものに限らず適宜変更してもよい。
【０１２３】
また、コードリールの構成、形状および大きさは、上述したものに限らず、変更してもよい。
【０１２４】
また、コードリールの保持部材への取り付け方法は、上述した取り付け部、第１の支持部、第２の支持部、第３の支持部を用いた取り付け方法に限らず、他の構成を用いた取り付け方法であってもよい。
【０１２５】
また、上述した実施の形態では、ノイズ除去部材は、保持部材の収容部に収容される構成としたが、これに限らず、ノイズ除去部材は、電源リード線近傍であれば、保持部材の収容部以外の位置に収容されていてもよい。また、ノイズ除去部材の形状および大きさは、上述した構成に限らず適宜変更してもよい。
【０１２６】
また、電源リード線は、上述した実施の形態に示したように、ノイズ除去部材に巻き回された構成であってもよいし、巻き回された構成でなくてもよい。また、電源リード線は、ノイズ除去部材に設けられた孔を貫通してもよいし、貫通しない構成であってもよい。
【０１２７】
また、炊飯器本体における、加熱コイル、電源回路、コードリール、保持部材の配置位置は、上述した位置に限らず、適宜変更してもよい。
【０１２８】
また、上述した実施の形態で用いた数値、形状、材料は、全て本発明を具体的に説明するために例示するものであり、本発明は例示された数値、形状、材料に制限されない。
【０１２９】
以上、実施の形態について、当業者が思いつく各種変形を施して得られる形態や、本発明の趣旨を逸脱しない範囲で実施の形態および変形例における構成要素および機能を任意に組み合わせることで実現される形態も本発明に含まれる。
【産業上の利用可能性】
【０１３０】
本発明に係る炊飯器は、加熱コイルに高周波電流を印加することにより加熱を行う、誘導加熱式の炊飯器等において有用である。
【符号の説明】
【０１３１】
１  炊飯器
２  炊飯器本体
２ａ  筐体
２ｂ  取っ手
２ｃ  外蓋取り付け部
３  外蓋
３ａ  操作部
３ｂ  開閉ボタン
４  蒸気放出部
４ａ  蒸気口
５  鍋
６  内蓋
６ａ  圧力調整部
１０  鍋収容部
１１  加熱コイル
１１ａ  底面加熱コイル（加熱コイル）
１１ｂ  側面加熱コイル（加熱コイル）
１３  電源基板
１３ａ、１３ｂ  配線
１４  電源コード
１５、１１５  コードリール
１７  保持部材
１９  ノイズ除去部材
１９ａ  孔
２２、１２２  端子
２３  電源リード線
２５、１２５  ケース
２７、２８ａ、２８ｂ、１２７  取り付け部
３０、１３０  基部
３２、１３２  第１の支持部
３３、１３３  第２の支持部
３２ａ  第１の溝部
３３ａ  第２の溝部
３４、１３４  第１のリブ
３５、１３５  収容部
３５ａ、１３５ａ  底部（収容部）
３５ｂ、１３５ｂ  側部（収容部）
３６、１３６  開口部
３７、１３７  切り欠き部
３８、１３８  突起部
４０、１４０ａ  掛止部
４２、１４２  ネジ穴
１４０  第３の支持部
１５１  第２のリブ（一対のリブ）
１５２  第３のリブ（一対のリブ）
１５３  第３の溝部（溝部）
１５５  開口部
１６０  カバー
１６１  固定部
【図１】
2018158047.tif 000003
【図２】
2018158047.tif 000004
【図３Ａ】
2018158047.tif 000005
【図３Ｂ】
2018158047.tif 000006
【図４】
2018158047.tif 000007
【図５Ａ】
2018158047.tif 000008
【図５Ｂ】
2018158047.tif 000009
【図６Ａ】
2018158047.tif 000010
【図６Ｂ】
2018158047.tif 000011
【図６Ｃ】
2018158047.tif 000012
【図７】
2018158047.tif 000013
【図８Ａ】
2018158047.tif 000014
【図８Ｂ】
2018158047.tif 000015
【図９Ａ】
2018158047.tif 000016
【図９Ｂ】
2018158047.tif 000017
【図９Ｃ】
2018158047.tif 000018
【図１０】
2018158047.tif 000019